(57)【特許請求の範囲】
【請求項１】
液体の入っているケース１０の側壁を貫通して、光ファイバ１４をケース外に引き出す部分において、前記ケース１０の側壁からその付近にかけての前記光ファイバ１４の周りを封止剤１６で固めてシールするに際して、
接着剤を滲みこませた接着剤保持部材１８を、前記光ファイバ１４のケース外に引き出された部分の上下両側に当て、かつ板２０のような保持体で押さえておき、前記接着剤保持部材１８からケース１０の側壁の間の前記光ファイバ１４の周りの部分を、前記封止剤１６で固めて、この封止剤１６と前記接着剤保持部材１８とを接着して一体にすることを特徴とする、光ファイバ引き出し部分のシール方法。
【請求項２】
前記光ファイバが光ファイバテープであることを特徴とする請求項１記載の光ファイバ引き出し部分のシール方法。
【請求項３】
２本以上の光ファイバの横幅全体を覆うように、幅広の前記保持体で、前記光ファイバの上下両側に当てた前記接着剤保持部材を押さえることを特徴とする請求項１又は２記載の光ファイバ引き出し部分のシール方法。
【請求項４】
液体の入っているケース１０の側壁を貫通させた光ファイバ１４のケース外に引き出された部分の上下両側に、接着剤を滲みこませた接着剤保持部材１８が接着され、前記接着剤保持部材１８からケース１０の側壁の間の前記光ファイバ１４の周りの部分が前記封止剤１６で固められ、この封止剤１６と前記接着剤保持部材１８とが接着一体になっていることを特徴とする光ファイバ引き出し部分のシール構造。
【請求項５】
前記光ファイバが光ファイバテープであることを特徴とする請求項４記載の光ファイバ引き出し部分のシール構造。
【請求項６】
光ファイバ１４の上下の接着剤保持部材１８を光ファイバ１４に押さえ込む、板のような保持体を具備することを特徴とする請求項４又は５記載の光ファイバ引き出し部分のシール構造。
【請求項７】
２本以上の光ファイバの横幅全体を覆うように、幅広の前記保持体で、前記光ファイバの上下両側に当てた前記接着剤保持部材が前記光ファイバに押さえられていることを特徴とする請求項６記載の光ファイバ引き出し部分のシール構造。
【請求項８】
液体を封入してあるケース１０を具備する光スイッチであって、前記ケース１０から光ファイバを引き出す部分に、請求項４〜７のいずれかに記載の光ファイバ引き出し部分のシール構造が設けられていることを特徴とする光スイッチ。
【発明の詳細な説明】
【０００１】
【発明の属する技術分野】
例えば機械式光スイッチでは、装置全体をケース内に納め、中にシリコンオイルを封入する。スイッチと接続する光ファイバは、ケースを貫通するので、その部分をシールしなければならない。本発明は、上記の場合のように、光ファイバを、液体入りケースから引き出す部分の、シール方法、光ファイバ引き出し部分のシール構造、光スイッチに関するものである。
【０００２】
【従来の技術】
図２，図３の例について述べる。図２は光スイッチ外観の説明図、図３は、シール部分の拡大断面の説明図である。
【０００３】
１０は密封のケースで、この中に光スイッチ（図示せず）が入っている。また、この中には、液体１２（シリコンオイル）が封入されている。
ケース１０の側壁１００に貫通孔１０２を設け、ここから、スイッチに接続する光ファイバテープ１４（線条体の一例）を引き出す。
貫通孔１０２からの液漏れを防ぐため、側壁１００からその付近の光ファイバテープ１４の周りの部分を、封止剤１６（接着剤）で固めてシールする。
【０００４】
【発明が解決しようとする課題】
▲１▼直接光ファイバテープを接着するため、テープ表面に接着しがたい材質が使用されていると、十分な強度で接着できない。したがって、ヒートサイクルによりオイル漏れの恐れがある。
特に光ファイバテープ１４と封止材１６の境目で接着が弱くなる傾向がある。
▲２▼接着時に光ファイバテープ１４を曲げるため、曲がったまま接着される場合もある。そのため、角の曲がりが維持されると、光ファイバのロス増・寿命の低下を招く恐れがある。
【０００５】
【課題を解決するための手段】
本発明は、液体の入っているケース１０の側壁を貫通して、光ファイバ１４をケース外に引き出す部分において、前記ケース１０の側壁からその付近にかけての前記光ファイバ１４の周りを封止剤１６で固めてシールするに際して、
接着剤を滲みこませた接着剤保持部材１８を、前記光ファイバ１４のケース外に引き出された部分の上下両側に当て、かつ板２０のような保持体で押さえておき、前記接着剤保持部材１８からケース１０の側壁の間の前記光ファイバ１４の周りの部分を、前記封止剤１６で固めて、この封止剤１６と前記接着剤保持部材１８とを接着して一体にすることを特徴とする、光ファイバ引き出し部分のシール方法を提供する。
また、本発明は、液体の入っているケース１０の側壁を貫通させた光ファイバ１４のケース外に引き出された部分の上下両側に、接着剤を滲みこませた接着剤保持部材１８が接着され、前記接着剤保持部材１８からケース１０の側壁の間の前記光ファイバ１４の周りの部分が前記封止剤１６で固められ、この封止剤１６と前記接着剤保持部材１８とが接着一体になっていることを特徴とする光ファイバ引き出し部分のシール構造を提供する。
【０００６】
接着剤保持部材１８には、繊維状のもの、例えばガーゼのように、目が粗くて柔らかい布や、不織布等が適する。
【０００７】
接着剤保持部材１８に滲み込ませる接着剤２２には、接着剤保持部材１８に十分に染みわたり、硬化時間が比較的短く、光ファイバテープ等の線条体１４の被覆と接着性のよいものを用いる。
【０００８】
板２０で押さえる理由は、主として硬化するまでの、接着剤保持部材１８の補強である。
である。
しかしながら、板２０は、接着剤保持部材１８内の接着剤２２が固まるまで押さえていて、その後は必要に応じて、そのままに残しておくこともできる。
このようにすると、境目の接着強度をさらに向上させ、保つことができる。
【０００９】
光ファイバテープ等の線条体１４と接着剤保持部材１８間に隙間ができないので、液漏れがない。
また、接着剤２２を滲ませた接着剤保持部材１８と封止剤１６とは接着一体になるので、これらの間からの液漏れもない。
【００１０】
【発明の実施の形態】
図１について述べる。
光スイッチの場合で、光ファイバテープ（線条体）１４の被覆材料は、例えば紫外線硬化型樹脂である。
接着剤保持部材１８に接着剤２２を滲み込ませ、光ファイバテープ１４の両側から当て、２本あるいは複数本の光ファイバテープの横幅全体を覆うように、幅広の板２０で押さえて硬化させた。
それから、従来と同じように、封止剤１６を、接着剤保持部材１８からケース１０の側壁１００にかけての光ファイバテープ１４の周りに塗りつけ、固化させた。
【００１１】
このようにすることにより、長期にわたり、液体１２の漏れは、発生しなかった。
【００１２】
なお、接着剤の選択は、特に限定されないが、封止剤１６に用いるものは粘度が高く、接着剤保持部材１８に用いるものは粘度が低い、ガーゼ等に染み込み易いものが用いられる。
つまり、粘度の高い接着剤を封止剤として、それよりも粘度の低い接着剤を光ファイバテープと封止剤の境界に用いるわけである。
また、接着剤は、紫外線硬化型、常温硬化型など、材質はエボキシ系、アクリレート系等種々ある。
【００１３】
本発明は、光スイッチの場合だけでなく、液体を封入してあるケースから、多心数の配線を引き出す場合にも適用できる。
また、光ファイバテープ（多心）だけでなく、単心の光ファイバ（ナイロン被覆や紫外線硬化型樹脂被覆）あるいは、さらに大径の光コードなど、種々形態の線状体に適用できる。
【００１４】
【発明の効果】
光ファイバの表面が封止剤１６と接着しがたい材料であっても、完全にシールができる。
【図面の簡単な説明】
【図１】本発明の説明図。
【図２】従来技術の説明図。
【図３】図２の主要部の拡大断面の説明図。
【符号の説明】
１０  ケース
１００  側壁
１０２  貫通穴
１２  液体
１４  線条体（光ファイバテープ）
１６  封止剤
１８  接着剤保持部材
２０  板
２２  接着剤
【図１】
0003710646.tif 000002
【図２】
0003710646.tif 000003
【図３】
0003710646.tif 000004